(57)【要約】【課題】安価に製造でき、信頼性の高い半導体モジュール及びその樹脂封止方法を提供する。【解決手段】配線パターンを備えた絶縁性基板からなり、前記配線パターンをソルダーレジストで被覆保護した配線基板と、前記配線基板上に搭載され、前記配線パターンに電気的に接続される接続端子を具備した半導体装置とを有し、前記半導体装置と前記配線基板との間が封止樹脂により封止され、前記半導体装置搭載位置の外周の少なくとも一部を囲み、その外周端近傍に除去部を形成してなるソルダーレジストで構成された枠部とを具備し、前記封止樹脂が、前記半導体装置と前記配線基板との間から前記枠部上を覆い、前記除去部の外方端まで被覆してなることを特徴とする。【選択図】図４
2010080732.tif 000002
【特許請求の範囲】
【請求項１】
配線パターンを備えた絶縁性基板からなり、前記配線パターンをソルダーレジストで被覆保護した配線基板と、
前記配線基板上に搭載され、前記配線パターンに電気的に接続される接続端子を具備した半導体装置とを有し、前記半導体装置と前記配線基板との間が封止樹脂により封止された半導体モジュールであって、
前記半導体装置搭載位置の外周の少なくとも一部を囲み、その外周端近傍に除去部を形成してなるソルダーレジストで構成された枠部とを具備し、
前記封止樹脂が、前記半導体装置と前記配線基板との間から、前記半導体装置上面を除く前記枠部上を覆い、前記除去部の外方端まで被覆してなる半導体モジュール。
【請求項２】
請求項１に記載の半導体モジュールであって、
前記枠部は前記半導体装置の外周を囲む環状枠を構成してなる半導体モジュール。
【請求項３】
請求項１に記載の半導体モジュールであって、
前記枠部は、2つの半導体装置の間に設けられ、所定幅の中央部を残して所定幅の除去部を形成してなり、前記中央部上を残して前記各除去部全体が前記封止樹脂で被覆された半導体モジュール。
【請求項４】
請求項２または３に記載の半導体モジュールであって、
前記枠部は除去部との境界位置Ｂ、及び境界位置Ｃにおいては、前記枠部の上端面と、前記枠部の側端面がほぼ垂直に近い断面形状を有した半導体モジュール。
【請求項５】
請求項１乃至４のいずれかに記載の半導体モジュールであって、
前記半導体装置は、半導体素子の周りを樹脂で被覆してなる半導体パッケージである半導体モジュール。
【請求項６】
請求項１乃至４のいずれかに記載の半導体モジュールであって、
前記半導体装置は、ベアチップである半導体モジュール。
【請求項７】
請求項１乃至６のいずれかに記載の半導体モジュールであって、
前記枠部の幅が０．５ｍｍ〜１．０ｍｍである半導体モジュール。
【請求項８】
請求項７記載の半導体モジュールであって、
前記除去部の幅が０．１ｍｍ〜０．２ｍｍである半導体モジュール。
【請求項９】
請求項３記載の半導体モジュールであって、
前記枠部は、前記各半導体装置の周りで環状に形成され、前記中央部の幅が０．１〜１．０ｍｍである半導体モジュール。
【請求項１０】
配線パターンを備えた絶縁性基板からなる、配線基板を用意する工程と、
前記配線基板の、半導体装置との接続領域を除く、前記配線パターン上および、半導体装置の搭載領域の周りを、前記半導体装置搭載位置の外周の少なくとも一部を囲み、その外周端近傍に除去部を形成する枠部を形成するように、ソルダーレジストで被覆する工程と、
前記配線パターンに前記半導体装置の接続端子が当接するように、前記配線基板上に半導体装置を搭載する工程と、
前記半導体装置と前記配線基板との間から、前記半導体装置上面を除く前記枠部上を覆い、前記除去部の外方端まで被覆するように、封止樹脂を供給し、前記半導体装置と前記配線基板との間を樹脂封止する工程とを含む半導体モジュールの製造方法。
【発明の詳細な説明】
【技術分野】
【０００１】
本発明は、半導体モジュールおよびその製造方法に係り、特にプリント配線基板上に実装した半導体パッケージなどの半導体装置を流動性のある封止樹脂で封止した半導体モジュール及びその樹脂封止方法に関する。
【背景技術】
【０００２】
例えば、半導体チップと回路基板との間にアンダーフィルと呼ばれる樹脂を充填する種々の技術が提案されている（特許文献１）が、半導体チップを樹脂封止して形成した半導体パッケージにおいても、アンダーフィルを用いた保護構造が提案されている。
一般に、半導体パッケージは、絶縁性基板上に配線パターンの形成されたプリント配線基板上に搭載され、半導体パッケージ電極部、配線パターンをはんだ等の接合部材により電気的に接続した後、半導体パッケージ接合部、及び側面を覆うように封止樹脂によって封止され、半導体パッケージが保護される構造となっている。ここで、封止樹脂としては、封止対象の半導体パッケージやはんだ等の接合部材を保護するため、流動性のあるエポキシ樹脂等を使用するのが一般的である。
【０００３】
しかしながら、封止樹脂は流動性を有するため、余分な領域まで封止樹脂が流れ出るのを防止すべく、半導体パッケージの周囲を囲むように形成された流れ止めの枠を用いている。この流れ止め枠の内部に封止樹脂を充填することにより、周囲に封止樹脂が流れ出るのを防止するとともに、半導体パッケージを覆うように封止樹脂を充填して、半導体パッケージを保護している。
【０００４】
【特許文献１】特開２００５−１２９５７１号公報
【発明の開示】
【発明が解決しようとする課題】
【０００５】
しかしながら、従来の流れ止め枠は、絶縁性基板上に配線パターンで形成され、さらに、配線パターンを覆うようにソルダーレジストが形成されたプリント配線基板の上に、流動性の低いエポキシ樹脂を塗布用ノズルを用いて、四角形に描画して形成していた。そのため、流れ止め枠を別途形成する必要があり、半導体モジュールの製造工程が１つ増えるため、製造コストが高くなるという問題があった。また、流動性の低いエポキシ樹脂は、封止樹脂として用いる流動性の高いエポキシ樹脂に比べて高価であるため、この点においても、製造コストが高くなるという問題があった。
【０００６】
そこで本発明は、安価に製造でき、信頼性の高い半導体モジュール及びその樹脂封止方法を提供することを目的とする。
【課題を解決するための手段】
【０００７】
そこで本発明の半導体モジュールは、配線パターンを備えた絶縁性基板からなり、前記配線パターンをソルダーレジストで被覆保護した配線基板と、前記配線基板上に搭載され、前記配線パターンに電気的に接続される接続端子を具備した半導体装置とを有し、前記半導体装置と前記配線基板との間が封止樹脂により封止され、前記半導体装置搭載位置の外周の少なくとも一部を囲み、その外周端近傍に除去部を形成してなるソルダーレジストで構成された枠部とを具備し、前記封止樹脂が、前記半導体装置と前記配線基板との間から、前記半導体装置上面を除いて前記枠部上を覆い、前記除去部の外方端まで被覆してなることを特徴とする。
この構成により、封止樹脂は、枠部において流出を防止され、除去部の外方端まで封止樹脂で被覆されるため、容易に確実で密着性に優れた樹脂封止が可能になるとともに、枠部は、ソルダーレジストにより形成されるため、安価に製造し得るものとなる。また、半導体装置の上面は封止樹脂で被覆されないため、強度を維持しつつ薄型化をはかることができる。
【０００８】
また、本発明は、上記半導体モジュールにおいて、前記枠部は前記半導体装置の外周を囲む環状枠を構成してなるものを含む。
【０００９】
また、本発明は、上記半導体モジュールにおいて、前記枠部は、2つの半導体装置の間に設けられ、所定幅の中央部を残して所定幅の除去部を形成してなり、前記中央部上を残して前記各除去部全体が前記封止樹脂で被覆されたものを含む。
【００１０】
また、本発明は、上記半導体モジュールにおいて、前記枠部は除去部との境界位置Ｂ、及び境界位置Ｃにおいては、前記枠部の上端面と、前記枠部の側端面がほぼ垂直に近い断面形状を有したものを含む。
【００１１】
また、本発明は、上記半導体モジュールにおいて、前記半導体装置は、半導体素子の周りを樹脂で被覆してなる半導体パッケージであるものを含む。
【００１２】
また、本発明は、上記半導体モジュールにおいて、前記半導体装置は、ベアチップであるものを含む。
【００１３】
また、本発明は、上記半導体モジュールにおいて、前記枠部の幅が０．５ｍｍ〜１．０ｍｍであるものを含む。
【００１４】
また、本発明は、上記半導体モジュールにおいて、前記除去部の幅が０．１ｍｍ〜０．２ｍｍであるものを含む。
【００１５】
また、本発明は、上記半導体モジュールにおいて、前記枠部は、前記各半導体装置の周りで環状に形成され、前記中央部の幅が０．１〜１．０ｍｍであるものを含む。
【００１６】
また、本発明は、上記半導体モジュールにおいて、配線パターンを備えた絶縁性基板からなる、配線基板を用意する工程と、前記配線基板の、半導体装置との接続領域を除く、前記配線パターン上および、半導体装置の搭載領域の周りを、前記半導体装置搭載位置の外周の少なくとも一部を囲み、その外周端近傍に除去部を形成する枠部を形成するように、ソルダーレジストで被覆する工程と、前記配線パターンに前記半導体装置の接続端子が当接するように、前記配線基板上に半導体装置を搭載する工程と、前記半導体装置と前記配線基板との間から、前記半導体装置上面を除く前記枠部上を覆い、前記除去部の外方端まで被覆するように、封止樹脂を供給し、前記半導体装置と前記配線基板との間を樹脂封止する工程とを含む。
この構成により、封止樹脂は、枠部において流出を防止され、除去部の外方端まで封止樹脂で被覆されるため、容易に確実で密着性に優れた樹脂封止が可能になるとともに、枠部は、配線パターンを保護するためのソルダーレジストにより形成されるため、パターンの変更のみで同一工程を用いて安価に製造し得るものとなる。
【発明の効果】
【００１７】
以上説明してきたように、本発明の半導体モジュールによれば、封止樹脂は、枠部において流出を防止され、除去部の外方端まで封止樹脂で被覆されるため、容易に確実で密着性に優れた樹脂封止が可能になるとともに、枠部は、ソルダーレジストにより形成されるため、安価に製造し得るものとなる。
【発明を実施するための最良の形態】
【００１８】
（実施の形態１）
以下、図１乃至図４を参照しつつ、本発明の実施の形態による半導体モジュールの構成及び樹脂封止方法について説明する。最初に、図１及び図２を用いて、本発明の実施の形態による半導体モジュールの構成について説明する。図１は、半導体モジュールの平面図であり、図２は、図１のＡ矢視図である。
【００１９】
まず、配線基板としてプリント配線基板１の構成について説明する。図３にその構造を示すように、プリント配線基板１は、絶縁性基板２と、配線パターン３と、接続部を除いて前記配線パターン上を覆うソルダーレジスト４とから構成されている。
【００２０】
絶縁性基板２は、例えば、ガラス・エポキシ樹脂のような絶縁性材料からなる基板である。絶縁性基板２の上には、配線パターン３が形成されている。配線パターン３は、銅箔の上にリフロー耐熱性のプリフラックスが施されている場合や、または銅箔の上にニッケルメッキ及び金メッキが形成されている場合がある。絶縁性基板２の表面の全面に銅箔を形成した上で、図３に示すようなパターンとなるように、不要部分をエッチングして、所望のパターン形状を有する銅箔面が形成される。この銅箔面の上にリフロー耐熱性のプリフラックスが施される場合や、ニッケルメッキを施し、さらに、ニッケルメッキの上に、金メッキを施して、配線パターン３が形成される場合がある。なお、配線パターンの材料は、これに限るものでない。配線パターン３の膜厚は、例えば、２０〜４０μｍである。
【００２１】
配線パターン３の上には、配線パターン３を保護するためのソルダーレジスト４が形成される。ソルダーレジスト４は、絶縁性のレジスト材料からなり、フォトレジストにより所定の形状に形成される。即ち、絶縁性基板２及び配線パターン３の全面に、レジスト材が塗布された後、所望の部分をマスキングして露光硬化させ、エッチング除去して、所定の部分にのみソルダーレジスト４が形成される。
【００２２】
また、図３に示すように、半導体パッケージ６が搭載される領域の外周には、円環状の枠部である環状枠５Ａがソルダーレジスト４によって形成されるとともに、環状枠５Ａの外周には、所定の幅を有するソルダーレジスト除去部５Ｂが形成されている。ソルダーレジスト除去部５Ｂにおいては、ソルダーレジストは除去されており、その下の配線パターン３や、絶縁性基板２が露出している。ソルダーレジスト除去部５Ｂの外周には、ソルダーレジスト４が形成されている。ここで、本実施の形態においては、環状枠５Ａの幅Ｘは、０．５〜２．０ｍｍとし、ソルダーレジスト除去部５Ｂの幅Ｙは、０．１〜０．２ｍｍとしている。
【００２３】
ソルダーレジスト除去部５Ｂの形成による環状枠５Ａの形成は、配線パターン３の形成と同時にフォトレジストによりフォトリソグラフィを用いて形成される。環状枠５Ａは、後述するように、半導体パッケージ６を樹脂封止する際の流れ止め枠として用いられるものであり、この環状枠５Ａは、通常のソルダーレジスト４の形成工程と同時に形成されるため、流れ止め枠の形成のために、工程が増加することもない。
【００２４】
また、流れ止め枠となる環状枠５Ａは、ソルダーレジスト４により形成されるため、流れ止め枠のための特別な材料を用いる必要もなく、安価に形成することができる。なお、環状枠５Ａの形状としては、図１に示すような円環状に限らず、四角形の環状の形状としてもよく、内部に収容される半導体パッケージ６を樹脂封止する際に、封止樹脂が外周に流れ出るのを防止するため、環状に閉じたものであればよいものである。
【００２５】
以上のようにして形成されたプリント配線基板１の上に、半導体パッケージ６が実装された後、環状枠５Ａの内部に、流動性のよいエポキシ樹脂等の封止樹脂８が充填され、半導体パッケージ６、及び半導体パッケージ電極部７を樹脂封止する。
【００２６】
次に、図３を用いて、本発明の一実施の形態による封止樹脂による樹脂封止方法について説明する。図３は、本発明の実施の形態による封止樹脂による樹脂封止方法の説明図である。なお、図１若しくは図２と同一符号は、同一部分を示している。
【００２７】
図３に示すように、既に半導体パッケージ６の実装作業が終了しているプリント配線基板１に、プリント配線基板１と半導体パッケージ６との間に向けて側方から封止樹脂８を封止樹脂塗布用ノズル９を用いて、ソルダーレジスト材による環状枠５Ａの上に充填する。
【００２８】
封止樹脂８の充填が進むにつれて、封止樹脂８は、環状枠５Ａの上端面を超えて行き、環状枠５Ａに設けたソルダーレジスト除去部５Ｂとの境界位置Ｂで、環状部５Ａを形成するソルダーレジストと、ソルダーレジストが除去されている除去部５Ｂとの表面張力の差により、封止樹脂８の流れが止まる。
また、封止樹脂８の塗布量のバラツキにより環状枠５Ａの上端部である境界位置Ｂを越えた場合でもソルダーレジスト除去部５Ｂに封止樹脂８が満たされることでバラツキ分の許容が可能となる。
さらに、境界位置Ｃにおいてソルダーレジスト除去部とソルダーレジスト４との表面張力の差により、封止樹脂８の流れが止まる。
以上のように、封止樹脂８の流出防止策が３重に施されている。
【００２９】
この表面張力の差により境界位置Ｂ、または境界位置Ｃで封止樹脂８の流れが止まり、かつ搭載した半導体パッケージ６の側面周辺、及び半導体パッケージ電極部７が封止樹脂８に覆われた所で、封止樹脂の塗布作業が完了する。
【００３０】
ここで、図４を用いて、環状部５Ａとソルダーレジスト除去部５Ｂとの境界部分における封止樹脂８の挙動について説明する。図４は、本発明の一実施の形態による樹脂封止方法における封止樹脂の挙動の説明図であり、図３の要部拡大断面図である。なお、図１若しくは図２と同一符号は、同一部分を示している。
【００３１】
環状枠５Ａ及びソルダーレジスト除去部５Ｂは、上述したように、ソルダーレジスト４のフォトレジストによって形成される。従って、環状枠５Ａの上端面は、平坦部となっている。また、ソルダーレジスト除去部５Ｂが形成される環状枠５Ａの側端面は、ほぼ垂直に近い断面形状となっている。その結果、環状枠５Ａとソルダーレジスト除去部５Ｂの境界位置Ｂ、及びＣにおいては、環状枠５Ａの上端面と、環状枠５Ａの側端面がほぼ直角に屈曲しており、この部分において変極点を形成している。
【００３２】
図３において説明したように、環状枠５Ａの上端面から封止樹脂８を充填し、ソルダーレジスト除去部５Ｂ方向に流れる。封止樹脂８が、境界位置Ｂに至ると、封止樹脂８の環状枠５Ａに対する表面張力が、封止樹脂８のソルダーレジスト除去部５Ｂに対する表面張力よりも大きいため、境界位置Ｂにおいて、封止樹脂８の流れが止まり、封止樹脂８は、半導体パッケージ６を覆うように盛り上がって堆積することになる。即ち、ガラスコップの中に水を満たしていくと、水の表面張力によって、水がコップの上端部よりも盛り上がるようになるのと同様にして、本実施の形態においては、環状枠５Ａと、その外周のソルダーレジスト除去部５Ｂの表面張力の差により、環状枠５Ａ、またはソルダーレジスト除去部５Ｂ内に封止樹脂８を充填することができる。
【００３３】
なお、従来の流れ止め枠は、流動性の低いエポキシ樹脂を用いていたため、実際にはその断面形状は、環状枠５Ａのような鋭角の形状とならず、なだらかな丘陵状の形状となっている。従って、本実施の形態における環状枠５Ａとソルダーレジスト除去部５Ｂのように、境界位置Ｂにおける変極点はないため、曲がれ止め枠の上端面に流れた封止樹脂は、枠を容易に乗り越えて、枠の外部に流れ出る問題があった。
【００３４】
それに対して、本実施の形態においては、環状枠５Ａとソルダーレジスト除去部５Ｂとの境界位置Ｂ、及び境界位置Ｃにおいて、表面張力により、封止樹脂８の流出が防止できるため、封止樹脂８の盛り上がりの高さを大きくでき、半導体パッケージ６の側面を完全に覆って、保護することが可能となった。
また、プリント配線基板１と半導体パッケージ６の間から環状枠５Ａを超えてソルダーレジスト除去部５Ｂ内まで充填された封止樹脂８によってより強固に固着されるため、強度の向上を図ることができ、機械的強度の高い構造となる。
【００３５】
次に、環状枠５Ａの幅Ｘ及びソルダーレジスト除去部５Ｂの幅Ｙについて説明する。
上述した本実施の形態においては、環状枠５Ａの幅Ｘは０．５〜１．０ｍｍとし、ソルダーレジスト除去部５Ｂの幅Ｙは０．１ｍｍとしている。環状枠５Ａの幅Ｘについて検討を行ったところ、０．５ｍｍ〜１．０ｍｍの範囲が好適である。環状枠５Ａの幅Ｘが広くなると、プリント配線基板全体に占める環状枠５Ａの面積が大きくなるため、高密度実装に適さないものとなる。そこで、実用的な環状枠５Ａの幅Ｘの上限値は、１．０ｍｍとなる。
【００３６】
また、ソルダーレジスト除去部５Ｂの幅Ｙの好適な範囲は、０．１ｍｍ〜０．２ｍｍである。ソルダーレジスト除去部５Ｂは、フォトレジストにより形成されるため、その加工精度の観点から０．１ｍｍより狭くすると、ソルダーレジスト除去部５Ｂの両側のソルダーレジスト同士が近づきブリッジしてしまう場合があるため、不適当である。また、ソルダーレジスト除去部５Ｂの幅Ｙは、あまり広くする必要はなく、高密度実装の観点からすると、０．２ｍｍ以下が好適である。
【００３７】
環状枠５Ａの幅Ｘを１．０ｍｍとし、ソルダーレジスト除去部５Ｂの幅Ｙを０．１ｍｍとすることにより、環状枠５Ａ及びソルダーレジスト除去部５Ｂは、封止樹脂の流れ止めの作用を十分に有するとともに、目視でも、状枠５Ａ及びソルダーレジスト除去部５Ｂの良・不良を確認できるため、きわめて実用的なものである。
【００３８】
以上説明したように、本実施の形態によれば、流れ止め枠として、ソルダーレジストを用いて環状枠及びソルダーレジスト除去部として形成するため、流れ止め枠形成のための工程や材料が不要となり、従来よりも安価に半導体モジュールの樹脂封止を実施でき、半導体モジュールを安価に製造し得るものとなる。
【００３９】
また、環状枠とソルダーレジスト除去部の表面張力の差により、環状枠内に封止樹脂を盛り上がらせ、半導体パッケージの保護を十分に行うことができる。
【００４０】
また、環状枠とソルダーレジスト除去部の表面張力の差により、封止樹脂が外周側に流出することを容易に防止することができる。
なお、前記実施の形態では、半導体チップを樹脂封止した半導体パッケージを半導体装置としてプリント配線基板上に搭載する場合について説明したが、ベアの半導体チップを直接プリント配線基板上に搭載する場合にも適用可能である。この場合はフェースダウンボンディングを用いて実装することで極めて薄型実装が可能となる。
さらにまた、枠部は必ずしも環状でなくてもよく、樹脂が流出するのを防ぐことができる程度に不連続部を有していてもよい。この不連続部の幅は、０．２ｍｍ以下であるのが望ましい。樹脂の流出防止の観点からすると、０．２ｍｍ以下が好適である。
【００４１】
（実施の形態２）
次に本発明の実施の形態２による半導体モジュールの構成及び樹脂封止方法について説明する。最初に、図５は樹脂の充填工程を示す概略図、図６はこの充填工程におけるニードルと半導体パッケージとの位置関係を示す図、図７は、このプリント配線基板のソルダレジストの塗布状態を示す図、図８は樹脂の充填された半導体モジュールの要部断面図である。図８は図７のＡ−Ａ断面を示す図である。
【００４２】
まず、配線基板としてプリント配線基板１０の構成について説明する。図７にその構造を示すように、プリント配線基板１０は、前記実施の形態１で図３を参照しつつ説明したように絶縁性基板（２）と、配線パターン（３）と、接続部を除いて前記配線パターン上を覆うソルダーレジスト１４とから構成されている。ｈ１、ｈ２はビス止め用の孔である。
【００４３】
この配線パターンの上には、配線パターンを保護するためのソルダーレジスト１４が形成される。ソルダーレジスト１４は、絶縁性のレジスト材料からなり、フォトレジストにより所定の形状に形成される。即ち、絶縁性基板及び配線パターンの全面に、レジスト材が塗布された後、所望の部分をマスキングして露光硬化させ、エッチング除去して、所定の部分にのみソルダーレジスト１４が形成される。
【００４４】
また、図７に示すように、半導体パッケージ１６ａ、１６ｂが搭載される領域の外周には、Ｌ字状の枠部１５Ａがソルダーレジスト１４によって形成されるとともに、枠部１５Ａの外周には、所定の幅を有するソルダーレジスト除去部１５Ｂが形成されている。ソルダーレジスト除去部１５Ｂにおいては、ソルダーレジストは除去されており、その下の配線パターンや、絶縁性基板が露出している。ソルダーレジスト除去部１５Ｂの外周には、ソルダーレジスト１４が形成されている。ここで、本実施の形態においては、枠部１５Ａの幅Ｘは、０．５〜２．０ｍｍとし、ソルダーレジスト除去部１５Ｂの幅Ｙは、０．１〜０．２ｍｍとしている。
【００４５】
ソルダーレジスト除去部１５Ｂの形成による枠部１５Ａの形成は、配線パターンの形成と同様にフォトレジストによりフォトリソグラフィを用いて形成される。枠部１５Ａは、後述するように、半導体パッケージ１６ａ、ｂを樹脂封止する際の流れ止め枠として用いられるものであり、この枠部１５Ａは、通常のソルダーレジスト１４の形成工程と同時に形成されるため、流れ止め枠の形成のために、工程が増加することもない。
【００４６】
また、流れ止め枠となる枠部１５Ａは、ソルダーレジスト１４により形成されるため、流れ止め枠のための特別な材料を用いる必要もなく、安価に形成することができる。なお、ソルダレジスト除去部１５Ｂの形状としては、図７に示すようなＬ字状に限らず、四角形の環状の形状としてもよく、内部に収容される半導体パッケージ１６ａ、ｂを樹脂封止する際に、封止樹脂が外周に流れ出るのを防止するものであればよい。
【００４７】
以上のようにして形成されたプリント配線基板１０の上に、半導体パッケージ１６ａ、１６ｂおよびチップ部品が実装された後、枠部１５Ａの内部に、流動性のよいエポキシ樹脂等の封止樹脂８が充填され、半導体パッケージ１６ａおよびｂを樹脂封止する。
【００４８】
次に、図５を用いて、本発明の一実施の形態による封止樹脂による樹脂封止方法について説明する。図５および６は、本発明の実施の形態による封止樹脂による樹脂封止方法の説明図である。なお、図５若しくは図６と同一符号は、同一部分を示している。
【００４９】
図５および６に示すように、プリント配線基板１０をθ=５から１０度傾けて保持するステージS上に載置し、まず封止樹脂塗布用ノズルを位置ＵＦ１からＵＦ２に走査し、半導体パッケージ１６ｂの側方から樹脂を流し込む。次いで封止樹脂塗布用ノズルを、半導体パッケージ１６ａの位置に移動し同様に側方から樹脂を流し込む。ここでは既に半導体パッケージ１６ａ、ｂの実装作業が終了しているプリント配線基板１０に、プリント配線基板１０と半導体パッケージ１６ａ、ｂとの間に向けて側方から封止樹脂（８）を封止樹脂塗布用ノズル９を用いて、ソルダーレジスト材による枠部１５Ａの上に充填する。図６は半導体パッケージと封止樹脂塗布用ノズルとの位置関係を示す説明図である。ここで封止樹脂塗布用ノズル９の高さｈは０．３０ｍｍ程度、充填位置の半導体パッケージとの距離ｗは０．４４ｍｍ程度とした。
【００５０】
図７および８に示すように、封止樹脂の充填が進むにつれて、封止樹脂は、枠部１５Ａの上端面を超えて行き、枠部１５Ａに設けたソルダーレジスト除去部１５Ｂとの境界位置Ｂで、枠部１５Ａを形成するソルダーレジストと、ソルダーレジストが除去されている除去部１５Ｂとの表面張力の差により、封止樹脂（８）の流れが止まる。
また、封止樹脂８の塗布量のバラツキにより枠部１５Ａの上端部である境界位置Ｂを越えた場合でもソルダーレジスト除去部１５Ｂに封止樹脂が満たされることでバラツキ分の許容が可能となる。
さらに、境界位置Ｃにおいてソルダーレジスト除去部とソルダーレジスト１４との表面張力の差により、封止樹脂（８）の流れが止まる。ここで樹脂は１０Ｐａ．Ｓのものを用いた。また必要に応じて封止樹脂塗布用ノズル先端部の温度を調節することで粘度を調整可能である。
以上のように、本実施の形態においても、封止樹脂８の流出防止策が３重に施されている。
【産業上の利用可能性】
【００５１】
以上説明してきたように、本発明によれば、樹脂封止作業の工程を簡略化でき、薄型の半導体モジュールを安価で製造し得ることから、携帯端末などの小型機器への適用が可能となる。
【図面の簡単な説明】
【００５２】
【図１】本発明の実施の形態１による半導体モジュールの側面図
【図２】図１のＡ矢視図
【図３】本発明の実施の形態１による封止樹脂による樹脂封止方法の説明図
【図４】本発明の実施の形態１による樹脂封止方法における封止樹脂の挙動の説明図（図３の要部拡大断面図）
【図５】本発明の実施の形態２による樹脂の充填工程を示す概略図
【図６】本発明の実施の形態２による充填工程におけるニードルと半導体パッケージとの位置関係を示す図
【図７】本発明の実施の形態２によるプリント配線基板のソルダレジストの塗布状態を示す図
【図８】本発明の実施の形態２による樹脂封止方法における封止樹脂の挙動の説明図（図７のＡ−Ａ断面図）
【符号の説明】
【００５３】
１・・・プリント配線基板
２・・・絶縁性基板
３・・・配線パターン
４・・・ソルダーレジスト
５Ａ・・・環状枠
５Ｂ・・・ソルダーレジスト除去部
６・・・半導体パッケージ
７・・・半導体パッケージ電極部
８・・・封止樹脂
９・・・封止樹脂塗布用ノズル
Ｂ・・・環状枠外周境界位置
Ｃ・・・ソルダーレジスト除去部外周境界位置
Ｘ・・・半導体パッケージ側面から環状枠までの幅
Ｙ・・・ソルダーレジスト除去幅
【図１】
2010080732.tif 000003
【図２】
2010080732.tif 000004
【図３】
2010080732.tif 000005
【図４】
2010080732.tif 000006
【図５】
2010080732.tif 000007
【図６】
2010080732.tif 000008
【図７】
2010080732.tif 000009
【図８】
2010080732.tif 000010